(57)【要約】【課題】ちらつきの発生を抑えつつ可視光通信を行い得るガス器具を提供する。【解決手段】ガスコンロ１は、可視光を放出する発光部６０と、制御部としてのマイクロコンピュータ５０とを備える。マイクロコンピュータ５０は、発光動作がなされる時間と停止動作がなされる時間との組み合わせにより定められる可視光信号を信号出力期間に出力し、且つ、各々の信号出力期間において発光動作がなされる総時間と停止動作がなされる総時間との比率を一定値又は一定範囲とするように発光部を制御する。【選択図】図３
2017180937.tif 000002
【特許請求の範囲】
【請求項１】
可視光を放出する発光部と、
前記発光部を点灯表示させる点灯時間内に前記点灯時間よりも短い信号出力期間を断続的に且つ周期的に設定し、前記信号出力期間に前記発光部を発光させる発光動作と前記発光部を停止させる停止動作とを交互に行う制御部と、
を備え、
前記制御部は、前記発光動作がなされる時間と前記停止動作がなされる時間との組み合わせにより定められる可視光信号を前記信号出力期間に出力し、且つ、各々の前記信号出力期間において前記発光動作がなされる総時間と前記停止動作がなされる総時間との比率を一定値又は一定範囲とするように前記発光部を制御することを特徴とするガス器具。
【請求項２】
前記制御部は、少なくともデータ信号とダミー信号とを有する前記可視光信号を前記信号出力期間に出力するように前記発光部を制御し、
前記信号出力期間において、前記データ信号の前記発光動作の総時間と前記ダミー信号の前記停止動作の総時間とが同一であり且つ前記データ信号の前記停止動作の総時間と前記ダミー信号の前記発光動作の総時間とが同一である請求項１に記載のガス器具。
【請求項３】
各々の前記信号出力期間において前記データ信号と組み合わせられる前記ダミー信号は、前記データ信号を構成する各微小信号の明暗を反転した信号である請求項２に記載のガス器具。
【請求項４】
前記制御部は、少なくとも前記信号出力期間の始まりを示すスタート信号と、前記データ信号と、前記ダミー信号と、前記スタート信号の明暗を反転した反転信号とを有する前記可視光信号を前記信号出力期間に出力するように前記発光部を制御する請求項２から請求項３のいずれか一項に記載のガス器具。
【請求項５】
前記制御部は、各々の前記信号出力期間において、前記スタート信号の送信後に前記データ信号又は前記ダミー信号のうち一方の信号を送信し、前記一方の信号の送信後に前記反転信号を送信し、前記反転信号の送信後に前記データ信号及び前記ダミー信号のうちの他方の信号を送信するように前記発光部を制御する請求項４に記載のガス器具。
【発明の詳細な説明】
【技術分野】
【０００１】
本発明は、ガス器具に関するものである。
【背景技術】
【０００２】
ガス器具の分野では、リモートコントローラから内部情報を取り出せるようにしたシステムが提案されている。例えば、特許文献１で開示される熱源機システムでは、リモコンンに発光素子と発光制御部を設けており、発光素子の発光を制御することにより、熱源機システムの情報を表す光信号を発光素子から外部に出力している。
【先行技術文献】
【特許文献】
【０００３】
【特許文献１】特開２０１５−２１６７５号公報
【発明の概要】
【発明が解決しようとする課題】
【０００４】
しかし、このようにガス器具に可視光通信を導入する場合、可視光通信が行われる期間の「ちらつき」が問題となる。例えば、ある程度の長さの点灯期間内に微小点灯動作及び微小消灯動作を組み合わせて可視光信号を重畳させる場合、データ内容によっては、微小消灯動作が特定の時期に偏ったり、微小点灯動作が特定の時期に偏ったりする可能性がある。このように微小点灯動作や微小消灯動作の偏りが大きくなると、本来は一定の光量で点灯が継続しているように見えるべき期間に、可視光信号の偏りに起因する発光量の減少や増加がユーザに視覚的に認識されてしまう「ちらつき」が発生する虞がある。
【０００５】
本発明は、上述した課題を解決するためになされたものであり、ちらつきの発生を抑えつつ可視光通信を行い得るガス器具を提供することを目的とするものである。
【課題を解決するための手段】
【０００６】
本発明のガス器具は、
可視光を放出する発光部と、
前記発光部を点灯表示させる点灯時間内に前記点灯時間よりも短い信号出力期間を断続的に且つ周期的に設定し、前記信号出力期間に前記発光部を発光させる発光動作と前記発光部を停止させる停止動作とを交互に行う制御部と、
を備え、
前記制御部は、前記発光動作がなされる時間と前記停止動作がなされる時間との組み合わせにより定められる可視光信号を前記信号出力期間に出力し、且つ、各々の前記信号出力期間において前記発光動作がなされる総時間と前記停止動作がなされる総時間との比率を一定値又は一定範囲とするように前記発光部を制御することを特徴とする。
【０００７】
本発明のガス器具は、可視光通信が行われる各々の信号出力期間において発光動作がなされる総時間と停止動作がなされる総時間との比率を一定値又は一定範囲とするように発光部を制御する。この構成によれば、各々の信号出力期間において発光動作が偏りすぎたり、停止動作が偏りすぎたりすることを防ぐことができる。よって、可視光信号の偏りに起因する発光量の減少や増加がユーザに視覚的に認識されてしまう「ちらつき」の発生を防止することができる。
【０００８】
本発明において、制御部は、少なくともデータ信号とダミー信号とを有する可視光信号を信号出力期間に出力するように発光部を制御する構成であってもよい。そして、信号出力期間において、データ信号の発光動作の総時間とダミー信号の停止動作の総時間とが同一であり且つデータ信号の停止動作の総時間とダミー信号の発光動作の総時間とが同一であってもよい。
【０００９】
この構成によれば、発光動作の比率が大きいデータ信号が信号出力期間に含まれる場合には、その信号出力期間に停止動作の比率が大きいダミー信号を含めることで発光の偏りを抑えることができる。逆に、停止動作の比率が大きいデータ信号が信号出力期間に含まれる場合には、その信号出力期間に発光動作の比率が大きいダミー信号を含めることで発光の偏りを抑えることができる。よって、どのようなデータであっても信号出力期間内の発光動作と停止動作の比率を安定化することができる。
【００１０】
各々の信号出力期間においてデータ信号と組み合わせられるダミー信号は、データ信号を構成する各微小信号の明暗を反転した信号であってもよい。
【００１１】
この構成によれば、どのようなデータであっても信号出力期間内の発光動作と停止動作の比率を確実に安定化することができる。しかも、ダミー信号は、データ信号の明暗を反転した信号であるため、ダミー信号を単なる数字の羅列ではなく、意味のある信号として利用することもできる。
【００１２】
制御部は、少なくとも信号出力期間の始まりを示すスタート信号と、データ信号と、ダミー信号と、スタート信号の明暗を反転した反転信号とを有する可視光信号を信号出力期間に出力するように発光部を制御する構成であってもよい。
【００１３】
この構成によれば、スタート信号の存在によって信号出力期間の始まりをより確実に認識しやすい構成を実現しつつ、信号出力期間全体として明暗の比率をより一層安定化することができる。
【００１４】
制御部は、各々の信号出力期間において、スタート信号の送信後にデータ信号又はダミー信号のうち一方の信号を送信し、一方の信号の送信後に反転信号を送信し、反転信号の送信後にデータ信号及びダミー信号のうちの他方の信号を送信するように発光部を制御する構成であってもよい。
【００１５】
この構成によれば、データ信号の送信期間とダミー信号の送信期間の間に反転信号が確実に送信されることになり、境界時期に送信される反転信号によってデータ信号とダミー信号がより正確に区別されやすくなる。
【図面の簡単な説明】
【００１６】
【図１】図１は、実施例１のガスコンロの一部を概略的に示す正面図である。
【図２】図２は、実施例１のガスコンロの一部を概略的に示す平面図である。
【図３】図３は、実施例１のガスコンロの電気的構成を例示するブロック図である。
【図４】図４は、実施例１で行われる表示制御の流れを例示するフローチャートである。
【図５】図５は、実施例１で行われる点滅表示を説明する説明図である。
【図６】図６は、点滅表示中の点灯期間に送信される可視光信号を説明する説明図である。
【図７】図７は、信号出力期間に送信されるデータの値と、各データ値のときの信号の組み合わせとの関係を説明する説明図である。
【図８】図８（Ａ）は、可視光通信によって送信する内容を例示する説明図であり、図８（Ｂ）は、可視光通信によって送信する内容の別例を示す説明図である。
【図９】図９は、他の実施例のガスコンロを概略的に示す正面図である。
【図１０】図１０は、図９とは異なる他の実施例のガスコンロを概略的に示す正面図である。
【発明を実施するための形態】
【００１７】
＜実施例１＞
以下、本発明の一例を具現化したガスコンロ１について、図面に基づいて説明する。これらの図面は、本発明が採用しうる技術的特徴を説明するために用いられるものである。以下に記載されている装置の構造などは、特に特定的な記載がない限り、それのみに限定する趣旨ではなく、単なる説明例である。
【００１８】
図１、図２で示すガスコンロ１は、天板部３と筐体本体４によって筐体部２が構成されており、筐体部２がガスコンロ１の外壁部を構成し、ガスバーナ５，６に供給するガスの流路等を収容している。筐体部２は、筐体本体４に対して板状に構成された天板部３が着脱可能に取り付けられてなるものである。
【００１９】
筐体本体４は、例えば金属材料によって上方側が開放した箱状のケース体として構成され、前後左右が壁部によって囲まれた内部空間に各種部品を収容する構成をなす。筐体本体４は、ガスコンロ１の前壁部を構成する前面部４Ａを備え、この前面部４Ａの後方側に図示しない後面部が設けられている。更に、左右に対をなして側面部が設けられており、これら前面部４Ａ、後面部、側面部によって箱状のケース体を構成している。
【００２０】
天板部３は、金属製の板状部材として構成され、筐体本体４の上方側の開口を閉塞する形で筐体本体４に対して上方側から組み付けられる。この天板部３は、図１、図２のように筐体本体４に組みつけられた状態でガスコンロ１の上面部として機能する。天板部３は、筐体本体４に対して着脱可能とされており、天板部３の左右両側には天板部３を厚さ方向に貫通した形で開口部が形成されている。
【００２１】
図１、図２のように、天板部３の左側の開口部の内側にはガスバーナ５が設けられ、右側の開口部の内側にはガスバーナ６が設けられている。それぞれの開口部の各上部には五徳１１，１２が各々設けられている。五徳１１，１２は、それぞれの上面に調理鍋（図示略）等の調理容器を載置し得る構成となっている。ガスバーナ５，６は、燃焼ガスを燃焼させて五徳１１，１２に載置された調理容器を加熱するように機能する。
【００２２】
図１のように、ガスバーナ５の中心にはセンサ部１５が設けられ、ガスバーナ６の中心にはセンサ部１６が設けられている。センサ部１５，１６は上下方向に出退可能であり且つバネ（図示略）により上方に付勢されている。センサ部１５は図３で示すサーミスタ７を備えたものであり、五徳１１に調理鍋が載置された際に下方向へ押し下げられる構成をなすとともに、サーミスタ７によってその載置された調理鍋の下面温度を検出する。センサ部１６は図３で示すサーミスタ８を備えたものであり、五徳１２に調理鍋が載置された際に下方向へ押し下げられる構成をなすとともに、サーミスタ８によってその載置された調理鍋の下面温度を検出する。
【００２３】
図２のようにガスコンロ１の上面側において、天板部３の前端寄り且つ右端寄りの領域には、天板部３を貫通した形で点火スイッチ２１，２２がそれぞれ設けられている。点火スイッチ２１，２２はいずれも天板部３の上方側に突出した形で配置され、左側の点火スイッチ２１は、ガスバーナ５の点火操作を行うためのスイッチとなっている。また、右側の点火スイッチ２２は、ガスバーナ６の点火操作を行うためのスイッチとなっている。なお、天板部３の後端寄りの領域には、図示しないグリル排気口を覆う形で排気カバー部１３が天板部３の一部として構成され、この排気カバー部１３には複数の排気孔１３Ａが形成されている。
【００２４】
図１、図２に示すように、ガスコンロ１の前面にはグリル扉１７とグリル点火スイッチ２３とが各々設けられている。グリル点火スイッチ２３は、図示しないグリルバーナの点火操作を行うためのスイッチとして構成されている。
【００２５】
図３のように、ガスバーナ５、ガスバーナ６及びグリルバーナには、イグナイタ２５〜２７が各々設けられている。イグナイタ２５〜２７は点火スイッチ２１〜２３の点火操作に夫々連動して火花を放電させて各種バーナに点火する機器である。また、ガスコンロ１には、ガスバーナ５にガスを供給する為の第１ガス供給管（図示略）と、ガスバーナ６にガスを供給する為の第２ガス供給管（図示略）と、グリルバーナにガスを供給する為の第３ガス供給管（図示略）とが設けられる。
【００２６】
図３を参照して、ガスコンロ１の電気的構成について説明する。
ガスコンロ１において、筐体本体４の内部には電源部４０が収容されている。この電源部４０は、例えば２本の乾電池が直列に接続された構成となっており、筐体本体４に対し直接又は他部材を介して間接的に固定されている。また、筐体本体４の内部には、基板本体に各種電子部品が実装されてなるメイン基板９が設けられ、このメイン基板９も筐体本体４に対して直接又は他部材を介して間接的に固定されている。
【００２７】
メイン基板９には、制御回路として機能するマイクロコンピュータ（以下、マイコンともいう）５０が設けられている。このマイクロコンピュータ５０は、ＣＰＵ、ＲＯＭ、ＲＡＭ等に加え、更に、図示しないタイマやＩ／Ｏインタフェイス等を備える。マイクロコンピュータ５０のＣＰＵは、ガスコンロ１の各種動作を統括制御するものであり、各種演算処理を行い得る。また、マイクロコンピュータ５０のＲＯＭにはガスコンロ１の各種制御プログラムが記憶されている。
【００２８】
マイクロコンピュータ５０には、電源回路４１、スイッチ入力回路４２、サーミスタ入力回路４３、イグナイタ回路４５、安全弁回路４６、電磁弁回路４７、駆動回路６２等が各々接続されている。
【００２９】
電源回路４１は電源部４０（例えば電池ボックスに搭載される２つの乾電池）からの電力供給を受け、各種回路に印加する直流電源を生成する機能を有する。スイッチ入力回路４２は、点火スイッチ２１〜２３の押下を各々検出する。イグナイタ回路４５は各種バーナのイグナイタ２５〜２７を各々駆動する。安全弁回路４６は上述した第１〜第３ガス供給管にそれぞれ設けられた各安全弁２８〜３０の開閉を行う。電磁弁回路４７は上述した第１、第２ガス供給管にそれぞれ設けられた各電磁弁３１，３２の開閉を行う。なお、マイクロコンピュータ５０は、ガスバーナ５へと続く第１ガス供給管に設けられた電磁弁３１や安全弁２８の開放や閉塞を制御し得る部分であり、ガスバーナ６へと続く第２ガス供給管に設けられた電磁弁３２や安全弁２９の開放や閉塞を制御し得る部分である。
【００３０】
図１、図２で示すガスコンロ１には、発光する部品として単一のランプからなる発光部６０のみが設けられている。発光部６０は、例えばＬＥＤなど発光素子によって構成されており、前面部４Ａにおいて外側（前側）に光を放出する構成をなしている。
【００３１】
マイクロコンピュータ５０は、駆動回路６２に対し発光部６０の駆動指示を与える構成をなす。駆動回路６２は、マイクロコンピュータ５０からの指令に応じて、発光部６０の点灯、消灯を制御する。マイクロコンピュータ５０は、制御部の一例に相当し、発光部６０を点灯表示させる点灯時間内に点灯時間よりも短い信号出力期間を断続的に且つ周期的に設定し、信号出力期間に発光部６０を発光させる発光動作と発光部６０を停止させる停止動作とを交互に行うように可視光通信を実施する機能を有する。
【００３２】
マイクロコンピュータ５０には、電圧検出回路４９が接続されている。電圧検出回路４９は、電源部４０（電池）の電圧を検出する公知の電圧検出回路として構成されており、マイクロコンピュータ５０は、電圧検出回路４９からの検出値を監視することで、電池電圧を把握している。
【００３３】
次に、ガスコンロ１で行われる可視光通信について説明する。
図４で示す表示処理は、ガスコンロ１の電源投入後、マイクロコンピュータ５０によって所定の短時間毎に繰り返し実行される処理である。図４の処理では、処理開始に伴い、電池残量を判定する（Ｓ１）。Ｓ１では、電源部４０の電圧（電池電圧）が閾値電圧未満であるか否かを判断し、電源部４０の電圧（電池電圧）が閾値電圧未満である場合、Ｓ１にてＹｅｓに進む。Ｓ１にてＹｅｓに進む場合、発光部６０を第１の発光状態（点灯状態）で表示する（Ｓ４）。Ｓ４で発光部６０を点灯させる場合、発光部６０を連続的且つ継続的に発光させ続ける。
【００３４】
Ｓ１において、電源部４０の電圧（電池電圧）が閾値電圧以上であると判断される場合、Ｓ１にてＮｏに進む。Ｓ１にてＮｏに進む場合、所定のエラーが発生しているか否かを判断する（Ｓ２）。ガスコンロ１では、所定のエラーとして、着火不良、消火機能の作動、異常加熱防止機能の作動など、予め複数種類のエラー種別が登録されている。
【００３５】
Ｓ２の判断処理の時点で、エラーが生じていないと判断される場合、Ｓ２にてＮｏに進み、図４の処理を終了する。Ｓ２の判断処理の時点で、いずれかの部分にいずれかのエラーが生じていると判断される場合、Ｓ２にてＹｅｓに進む。
【００３６】
Ｓ２にてＹｅｓに進む場合、発光部６０を第２の発光状態（点滅状態）で表示する（Ｓ３）。Ｓ３において点滅状態で表示する場合、例えば数秒程度の点灯状態と数秒程度の消灯状態とを交互に繰り返すように発光部６０を点滅表示する。そして、点滅表示中の点灯期間に可視光通信を行う。
【００３７】
このように、本構成では、制御部に相当するマイクロコンピュータ５０により表示制御がなされ、第一条件を満たした場合（具体的には、電源部４０（電池）が所定の出力低下状態となったことを検出部が検出した場合）に発光部６０を第一の発光状態（点灯状態）に制御する。そして、第二条件を満たした場合（電源部４０（電池）の所定の出力低下状態とは異なるエラー状態が発生した場合）に発光部６０を第一の発光状態（点灯状態）とは異なる第二の発光状態（点灯状態と消灯状態とが繰り返される点滅状態）に制御する。そして、第二の発光状態に制御する場合に可視光通信を行い、発光部６０から放出される可視光の発光状態を変化させることで発光状態の変化に対応した情報を外部に送信する。
【００３８】
Ｓ２においてエラーが発生していると判断した場合（所定の異常状態が発生した場合）に、マイクロコンピュータ５０はＳ３の処理を行い、発光部６０を第二の発光状態に制御するとともに、第二の発光状態で行う可視光通信によりエラー（所定の異常状態）に関する詳細情報を送信する。
【００３９】
マイクロコンピュータ５０は、Ｓ３において点灯状態と消灯状態とを交互に繰り返すように発光部６０を点滅表示する場合、点灯状態の期間に可視光信号を重畳させる。図５は、点滅表示のイメージ図であり、点滅表示を行う場合、点灯期間中には微小時間での発光部６０の点灯と消灯が繰り返される。消灯期間中は、発光部６０が連続的に消灯状態となる。
【００４０】
マイクロコンピュータ５０は、各点灯期間Ｔ１において点灯期間Ｔ１よりも十分小さい時間である所定時間Ｔａ毎に信号出力期間（図６で示す可視光信号Ｓ１，Ｓ２，Ｓ３・・・の各期間）を設定し、各信号出力期間において、発光動作（具体的には微小時間の点灯動作）がなされる時間と停止動作（具体的には微小時間の消灯動作）がなされる時間との組み合わせにより定められる可視光信号を出力する。具体的には、図５で示す点滅表示状態のときの点灯時間Ｔ１（点灯状態の期間）において、図６のように、点灯時間Ｔ１よりも十分小さい単位時間Δｔ（微小時間）が定められ、単位時間Δｔの点灯信号（発光信号）と単位時間Δｔの消灯信号（停止信号）と組み合わせた可視光信号が所定時間（短時間）Ｔａ毎に周期的に発せられる。なお、図６は、発光部６０を駆動する駆動波形を例示したものであり、Ｌレベルの期間で発光部６０が点灯し、Ｈレベルの期間に発光部６０が消灯する。そして、Ｌレベルの波形が点灯信号であり「１」を表し、Ｈレベルの波形が消灯信号であり「０」を表す。
【００４１】
図６の例では、可視光信号Ｓ１の期間を単位時間Δｔごとに区切ると、点灯信号、消灯信号、消灯信号、消灯信号、消灯信号、点灯信号、点灯信号、点灯信号となっており、可視光信号Ｓ１は、「１００００１１１」のデータを表す。可視光信号Ｓ２の期間を単位時間Δｔごとに区切ると、点灯信号、消灯信号、消灯信号、点灯信号、消灯信号、点灯信号、点灯信号、消灯信号となっており、可視光信号Ｓ２は、「１００１０１１０」のデータを表す。可視光信号Ｓ３の期間を単位時間Δｔごとに区切ると、点灯信号、消灯信号、点灯信号、点灯信号、消灯信号、点灯信号、消灯信号、消灯信号となっており、可視光信号Ｓ３は、「１０１１０１００」のデータを表す。このように、所定時間Ｔａ毎に設定される可視光信号Ｓ１，Ｓ２，Ｓ３・・・の各期間では、単位時間Δｔの点灯信号によって「１」の値を伝送し、単位時間Δｔの消灯信号によって「０」の値を伝送する。このようなデータの伝送によって必要な情報を送信することができる。
【００４２】
より詳細に説明すると、マイクロコンピュータ５０は、ステップＳ４で可視光通信を行う場合、各々の信号出力期間において発光動作がなされる総時間と停止動作がなされる総時間との比率を一定値とするように発光部６０を制御している。具体的には、図７のような信号構成で可視光信号を伝送する。図７で示すように、可視光信号は、スタート信号と、データ信号と、反転信号と、ダミー信号とによって構成されている。
【００４３】
スタート信号は、各信号出力期間の始まりを示す信号であり、単位時間Δｔの発光動作の信号（「１」を示す信号）となっている。なお、図６等で示す例では、点灯期間Ｔ１において、各信号出力期間以外の時間（非出力期間）は停止動作（消灯動作）が継続する期間となっており、スタート信号は、非出力期間と信号出力期間との境界を特定しうる信号となっている。
【００４４】
データ信号は、伝達すべきデータを示す信号であり、例えば伝達すべき値（データの値）を３ビットの２進数で示している。具体的には、図７のような対応関係であり、データの値が「０」であれば、データ信号は、「０００」であり、データの値が「１」であれば、「００１」であり、データの値が「２」であれば「０１０」である。
【００４５】
反転信号は、スタート信号を反転した信号であり、単位時間Δｔの停止動作（消灯動作）の信号（「０」を示す信号）となっている。この反転信号は、データ信号とダミー信号の境界を示す信号として構成されている。
【００４６】
ダミー信号は、各々の信号出力期間においてデータ信号と組み合わせられる信号であり、データ信号を構成する各微小信号の明暗を反転した信号となっている。つまり、データ信号において発光動作の信号を停止動作（消灯動作）の信号に変換し、停止動作（消灯動作）の信号を発光動作の信号に変換した信号となっている。例えばデータの値が「０」でありデータ信号が「０００」であれば、組み合わせられるダミー信号は、データ信号「０００」をそれぞれ反転した「１１１」である。データの値が「１」でありデータ信号が「００１」であれば、組み合わせられるダミー信号は、データ信号「００１」をそれぞれ反転した「１１０」である。データの値が「２」でありデータ信号が「０１０」であれば、組み合わせられるダミー信号は、データ信号「０１０」をそれぞれ反転した「１０１」である。このようにデータ信号とダミー信号が組み合わせられるため、信号出力期間において、データ信号の発光動作の総時間とダミー信号の停止動作の総時間とが同一となり、且つデータ信号の停止動作の総時間とダミー信号の発光動作の総時間とが同一となる。そして、各信号出力期間では、データ信号及びダミー信号以外の信号としてスタート信号と反転信号が含まれているが、スタート信号の発光動作の時間と反転信号の停止動作（消灯動作）の時間は同一となっている。このため、各信号出力期間において、発光動作の総時間と停止動作の総時間とが同一となり、発光動作がなされる総時間と停止動作がなされる総時間の比率が一定値（５０％）となる。
【００４７】
図４におけるステップＳ３の処理では、このような可視光信号によって上述した詳細情報を送信する。詳細情報は、例えば、ガスコンロ１に固有に付された固有情報、ガスコンロ１の種類を特定する器具種特定情報、ガスコンロ１で生じた異常の種類を特定する異常種特定情報などを含んでおり、これらの情報は、例えばメモリ５２に記憶されている。メモリ５２は、記憶部の一例に相当し、例えば、不揮発性メモリなどの公知の半導体メモリによって構成されている。
【００４８】
詳細情報は、例えば、図８（Ａ）のようなデータ構成とすることができる。図８（Ａ）の例では、ガスコンロ１に固有に付された固有情報として固有ＩＤ（シリアルナンバー）が含まれている。また、ガスコンロ１の器具種を特定する器具種特性情報として製品番号（品番）やロット番号を含んでいる。これらの情報は予めメモリ５２に記憶されており、Ｓ３で行われる可視光通信では、メモリ５２からこれらの情報を読み出して外部に送信する。
【００４９】
また、Ｓ３で行われる可視光通信では、図８（Ａ）のように、送信する情報として、Ｓ２で判断されたエラーの種別、そのエラーが生じている部分（エラー場所）などの情報を含めることができる。なお、複数種類のエラーが生じている場合には、図８（Ａ）のように発生しているエラーに関する情報を全て含めることができる。
【００５０】
図４のＳ３の処理では、このような詳細情報を可視光通信によって発光部６０から送信し、外部に設けられた受信装置（可視光信号を受信し、解析しうる装置）に伝送することができる。
【００５１】
以上のように、ガスコンロ１は、制御部に相当するマイクロコンピュータ５０が可視光通信を行い、発光部６０から放出される可視光の発光状態を変化させることで発光状態の変化に対応した情報を外部に送信することができる。従って、筐体部２を分解せずとも、ガスコンロ１の内部情報を読み取ることができるようになる。また、筐体部２に金属成分が含まれる場合、内部情報をＲＦＩＤ技術で読み取ることは困難であるが、この方法によれば内部情報を良好に読み取ることができる。
【００５２】
しかも、ガスコンロ１は、可視光通信が行われる各々の信号出力期間（図６で示すＳ１、Ｓ２、Ｓ３・・・の各期間）において発光動作がなされる総時間と停止動作がなされる総時間との比率を一定値とするように発光部６０を制御する。この構成によれば、各々の信号出力期間において発光動作が偏りすぎたり、停止動作が偏りすぎたりすることを防ぐことができる。よって、可視光信号の偏りに起因する発光量の減少や増加がユーザに視覚的に認識されてしまう「ちらつき」の発生を防止することができる。
【００５３】
特に、信号出力期間が周期的に設定され、各信号出力期間において、発光動作の総時間と停止動作の総時間が同一とされるため、偏りが一層抑制され、「ちらつき」の抑制効果が非常に高くなる。
【００５４】
また、制御部に相当するマイクロコンピュータ５０は、データ信号とダミー信号とを組み合わせた可視光信号を各信号出力期間に出力するように発光部６０を制御する。そして、各信号出力期間において、データ信号の発光動作の総時間とダミー信号の停止動作の総時間とを同一とし、データ信号の停止動作の総時間とダミー信号の発光動作の総時間とを同一としている。この構成によれば、発光動作の比率が大きいデータ信号が信号出力期間に含まれる場合には、その信号出力期間に停止動作の比率が大きいダミー信号を含めることで発光の偏りを抑えることができる。逆に、停止動作の比率が大きいデータ信号が信号出力期間に含まれる場合には、その信号出力期間に発光動作の比率が大きいダミー信号を含めることで発光の偏りを抑えることができる。よって、どのようなデータであっても信号出力期間内の発光動作と停止動作の比率を安定化することができる。
【００５５】
具体的には、各々の信号出力期間においてデータ信号と組み合わせられるダミー信号は、データ信号を構成する各微小信号の明暗を反転した信号となっている。この構成によれば、どのようなデータであっても信号出力期間内の発光動作と停止動作の比率を確実に安定化することができる。しかも、ダミー信号は、データ信号の明暗を反転した信号であるため、ダミー信号を単なる数字の羅列ではなく、意味のある信号として利用することもできる。例えば、受信後にデータ信号とダミー信号を照合することで、信号が正確に伝送された否かを確認するといったことや、データ信号が正常に受信できなかった場合に、代わりにダミー信号を使用するといったことが可能となる。
【００５６】
制御部に相当するマイクロコンピュータ５０は、信号出力期間の始まりを示すスタート信号と、データ信号と、ダミー信号と、スタート信号の明暗を反転した反転信号とを組み合わせた可視光信号を各信号出力期間に出力するように発光部６０を制御する。この構成によれば、スタート信号の存在によって信号出力期間の始まりをより確実に認識しやすい構成を実現しつつ、信号出力期間全体として明暗の比率をより一層安定化することができる。
【００５７】
制御部に相当するマイクロコンピュータ５０は、各々の信号出力期間において、スタート信号の送信後にデータ信号を送信し、データ信号の送信後に反転信号を送信し、反転信号の送信後にダミー信号を送信するように発光部６０を制御する。この構成によれば、データ信号の送信期間とダミー信号の送信期間の間に反転信号が確実に送信されることになり、境界時期に送信される反転信号によってデータ信号とダミー信号がより正確に区別されやすくなる。
【００５８】
＜他の実施例＞
本発明は上記記述及び図面によって説明した実施例に限定されるものではなく、例えば次のような例も本発明の技術的範囲に含まれる。
（１）実施例１では、メモリ５２（記憶部）に記憶された情報として、図８（Ａ）のような情報を挙げたが、図８（Ｂ）のように、過去に発生したエラーの履歴情報を含んでいてもよい。例えば、エラーが発生する毎にメモリ５２に、エラー情報（エラー日時、エラー場所、エラー種別等）を記憶し、可視光通信を行うときにこのようなエラー履歴の情報を送信してもよい。例えば、図４のＳ３の処理で、図８（Ｂ）のような過去に発生したエラー履歴の情報を可視光通信で送信してもよく、ガスコンロ１に対して何らかの特別操作がなされた場合に図８（Ｂ）のようなエラー履歴の情報を可視光通信によって送信してもよい。いずれにしても、この構成によれば、筐体部２を分解しなくても過去に発生したエラーの履歴を把握することが可能となり、エラー解析をより簡単に行うことができる。
（２）上述した実施例では、発光部６０が前面部に設けられた例を示したが、発光部が天板部に設けられていてもよい。
（３）上述した実施例では、点状或いは円形状の表示部として構成された発光部６０を例示したが、これ以外の記号及び図形の少なくともいずれかを表示する表示部として発光部が構成されていてもよい。例えば、図９のように、電池の図形を模した形で発光部２６０が構成されていてもよい。この場合も、図４と同様の流れで表示処理を行うことができ、Ｓ１でＹｅｓに進む場合（電池電圧が閾値未満である場合）には、発光部２６０（電池図形を模した表示部）を点灯させ、電池図形を光らせるように表示制御を行う。一方、Ｓ１でＮｏに進み、Ｓ２でＹｅｓに進む場合には、実施例１と同様の可視光通信を行い、発光部２６０（電池図形を模した表示部）の図形では表しきれない情報を伝送することができる。この構成によれば、記号や図形の明示による情報表示と可視光通信による情報送信とを同一部分で兼用できる。特に、表示部を可視光通信に兼用すれば、部品点数の削減、コスト低減を図ることができ、スペース的にも有利になる。
（４）実施例１では、単純な円形タイプのランプとして構成される発光部６０を例示したが、例えば、文字や数字を表示しうる表示部として構成されていてもよい。図１０では、発光部６０に代えて、２ケタの７セグメント方式の発光部３６０が用いられており、この発光部３６０では、文字や数字などを表示することができるようになっている。この場合も、図４と同様の流れで表示処理を行うことができ、Ｓ１でＹｅｓに進む場合（電池電圧が閾値未満である場合）には、例えば発光部３６０を点灯させ、所定のコード（電池残量不足を示すコード）を表示する。一方、Ｓ１でＮｏに進み、Ｓ２でＹｅｓに進む場合には、Ｓ３において、発生しているエラーのコードを発光部３６０に表示すると共に、その発光部３６０からの可視光通信により発光部３６０の図形では表しきれない情報（例えば、図８のような情報）を伝送することができる。この場合でも、制御部に相当するマイクロコンピュータ５０は、少なくとも発光部３６０（表示部）で表示され得る情報とは異なる情報を可視光通信により外部に送信することができ、発光部３６０（表示部）によって表示されない情報さえも、外部に出力することが可能となる。
（５）実施例１では、第１の発光状態が点灯状態であり、第２の発光状態が点滅状態である例を示したが、第１の発光状態が点滅状態であり、第２の発光状態が点灯状態であってもよい。
（６）実施例１では、ガス器具の例としてガスコンロを例示したが、ガス給湯器、風呂システムなど、他のガス器具に適用してもよい。
（７）実施例１では、各々の信号出力期間において発光動作がなされる総時間と停止動作がなされる総時間の比率を５０％で一定としたが、他の比率（例えば４０％、４５％等）で一定としてもよい。或いは、各々の信号出力期間において、発光動作がなされる総時間と停止動作がなされる総時間の比率を一定範囲（例えば、４０％〜６０％の範囲）内に収めるように、各信号出力期間の信号を調整してもよい。
（８）実施例１では、信号出力期間において、スタート信号の送信後にデータ信号を送信し、データ信号の送信後に反転信号を送信し、反転信号の送信後にダミー信号を送信する構成を例示したが、このような順序でなくておもよい。信号出力期間において、スタート信号の送信後にダミー信号を送信し、ダミー信号の送信後に反転信号を送信し、反転信号の送信後にデータ信号を送信する構成であってもよい。
【符号の説明】
【００５９】
１…ガスコンロ（ガス器具）
５０…マイクロコンピュータ（制御部）
６０…発光部
【図１】
2017180937.tif 000003
【図２】
2017180937.tif 000004
【図３】
2017180937.tif 000005
【図４】
2017180937.tif 000006
【図５】
2017180937.tif 000007
【図６】
2017180937.tif 000008
【図７】
2017180937.tif 000009
【図８】
2017180937.tif 000010
【図９】
2017180937.tif 000011
【図１０】
2017180937.tif 000012